【事件の表示】
　特許第５５０７６１４号に関する訂正審判事件について、次のとおり審決する。
【結　論】
　特許第５５０７６１４号に係る明細書及び特許請求の範囲を本件審判請求書に添付された訂正明細書及び特許請求の範囲のとおり請求項ごとに訂正することを認める。
【理　由】
第１　手続の経緯
　本件訂正審判の請求に係る特許第５５０７６１４号（以下「本件特許」という。）の手続の経緯は以下のとおりである。
　
　平成２４年５月２２日：特許出願（特願２０１２−１１６３４５号）
　　　　　　　　　　　　原出願日：平成１７年１２月２日
　平成２６年３月２８日：設定登録（請求項数：６）
　平成２６年６月　２日：本件審判請求（訂正２０１４−３９００７７号）
　
第２　審判請求の趣旨及び訂正の内容
　本件訂正審判の請求の要旨は、本件特許の願書に添付した明細書及び特許請求の範囲を本件審判請求書に添付した訂正明細書及び特許請求の範囲のとおり請求項ごとに訂正することを求めるものである（以下、本件特許の願書に添付した明細書及び特許請求の範囲を、それぞれ「本件特許明細書」及び「本件特許の特許請求の範囲」といい、本件特許の願書に添付した明細書、特許請求の範囲又は図面を総称して「本件特許明細書等」という。）。
　そして、本件特許の訂正の内容は、以下のとおりである（下線は、本件審判請求書に添付した訂正明細書及び特許請求の範囲のとおりである。）。
　
１　訂正事項１
　本件特許の特許請求の範囲の請求項１に
「前記移行入賞制御パターンは、……、かつ前記第２の特定入賞制御パターンが前記特定の表示結果を特定するステップ数のうちの少なくとも１つのステップ数に対して前記特定の表示結果を特定するとともに、……、かつ前記第１の特定入賞制御パターンが前記特定の表示結果を特定するステップ数のうちの少なくとも１つのステップ数に対して前記特定の表示結果を特定し、」とあるのを、
「前記移行入賞制御パターンは、……、かつ前記第２の特定
付与
付与
　
２　訂正事項２
　本件特許明細書の段落【０００７】に
「上記課題を解決するために、本発明の請求項１に記載のスロットマシンは、
……
　前記移行入賞制御パターンは、……、かつ前記第２の特定入賞制御パターンが前記特定の表示結果を特定するステップ数のうちの少なくとも１つのステップ数に対して前記特定の表示結果を特定するとともに、……、かつ前記第１の特定入賞制御パターンが前記特定の表示結果を特定するステップ数のうちの少なくとも１つのステップ数に対して前記特定の表示結果を特定し、」とあるのを、
「上記課題を解決するために、本発明の請求項１に記載のスロットマシンは、
……
　前記移行入賞制御パターンは、……、かつ前記第２の特定
付与
付与
　
３　訂正事項３
　本件特許の特許請求の範囲の請求項２に
「前記移行入賞制御パターンは、……、かつ前記第２の特定入賞制御パターンが前記特定の表示結果を特定するステップ数のうちの少なくとも１つのステップ数に対して前記特定の表示結果を特定するとともに、……、かつ前記第１の特定入賞制御パターンが前記特定の表示結果を特定するステップ数のうちの少なくとも１つのステップ数に対して前記特定の表示結果を特定し、」とあるのを、
「前記移行入賞制御パターンは、……、かつ前記第２の特定
付与
付与
　
４　訂正事項４
　本件特許明細書の段落【０００７】に
「本発明の請求項２に記載のスロットマシンは、
……
　前記移行入賞制御パターンは、……、かつ前記第２の特定入賞制御パターンが前記特定の表示結果を特定するステップ数のうちの少なくとも１つのステップ数に対して前記特定の表示結果を特定するとともに、……、かつ前記第１の特定入賞制御パターンが前記特定の表示結果を特定するステップ数のうちの少なくとも１つのステップ数に対して前記特定の表示結果を特定し、」とあるのを、
「本発明の請求項２に記載のスロットマシンは、
……
　前記移行入賞制御パターンは、……、かつ前記第２の特定
付与
付与
　
５　訂正事項５
　本件特許の特許請求の範囲の請求項３に
「……スロットマシンであって、
　少なくともいずれか１つの可変表示領域の表示結果が導出される前に、前記遊技用価値の付与を伴う付与入賞及び遊技者にとって有利な特別遊技状態への移行を伴う移行入賞を含む入賞の発生を許容するか否かを決定する事前決定手段と、」とあるのを、
「……スロットマシンであって、
　
前記複数の可変表示領域の表示結果を導出させる際に操作されるそれぞれの導出操作手段と
　少なくともいずれか１つの可変表示領域の表示結果が導出される前に、前記遊技用価値の付与を伴う付与入賞及び遊技者にとって有利な特別遊技状態への移行を伴う移行入賞を含む入賞の発生を許容するか否かを決定する事前決定手段と、」に訂正する。
　
６　訂正事項６
　本件特許の特許請求の範囲の請求項３に
「前記移行入賞制御パターンは、……、かつ前記第２の特定入賞制御パターンが前記特定の表示結果を特定するステップ数のうちの少なくとも１つのステップ数に対して前記特定の表示結果を特定するとともに、……、かつ前記第１の特定入賞制御パターンが前記特定の表示結果を特定するステップ数のうちの少なくとも１つのステップ数に対して前記特定の表示結果を特定し、」とあるのを、
「前記移行入賞制御パターンは、……、かつ前記第２の特定
付与
付与
　
７　訂正事項７
　本件特許明細書の段落【０００７】に
「本発明の請求項３に記載のスロットマシンは、……スロットマシンであって、
　少なくともいずれか１つの可変表示領域の表示結果が導出される前に、前記遊技用価値の付与を伴う付与入賞及び遊技者にとって有利な特別遊技状態への移行を伴う移行入賞を含む入賞の発生を許容するか否かを決定する事前決定手段と、
……
　前記移行入賞制御パターンは、……、かつ前記第２の特定入賞制御パターンが前記特定の表示結果を特定するステップ数のうちの少なくとも１つのステップ数に対して前記特定の表示結果を特定するとともに、……、かつ前記第１の特定入賞制御パターンが前記特定の表示結果を特定するステップ数のうちの少なくとも１つのステップ数に対して前記特定の表示結果を特定し、」とあるのを、
「本発明の請求項３に記載のスロットマシンは、……スロットマシンであって、
　
前記複数の可変表示領域の表示結果を導出させる際に操作されるそれぞれの導出操作手段と
　少なくともいずれか１つの可変表示領域の表示結果が導出される前に、前記遊技用価値の付与を伴う付与入賞及び遊技者にとって有利な特別遊技状態への移行を伴う移行入賞を含む入賞の発生を許容するか否かを決定する事前決定手段と、
……
　前記移行入賞制御パターンは、……、かつ前記第２の特定
付与
付与
　
８　訂正事項８
　本件特許の特許請求の範囲の請求項４に
「……スロットマシンであって、
　少なくともいずれか１つの可変表示領域の表示結果が導出される前に、前記遊技用価値の付与を伴う付与入賞及び遊技者にとって有利な特別遊技状態への移行を伴う移行入賞を含む入賞の発生を許容するか否かを決定する事前決定手段と、」とあるのを、
「……スロットマシンであって、
　
前記複数の可変表示領域の表示結果を導出させる際に操作されるそれぞれの導出操作手段と
　少なくともいずれか１つの可変表示領域の表示結果が導出される前に、前記遊技用価値の付与を伴う付与入賞及び遊技者にとって有利な特別遊技状態への移行を伴う移行入賞を含む入賞の発生を許容するか否かを決定する事前決定手段と、」に訂正する。
　
９　訂正事項９
　本件特許の特許請求の範囲の請求項４に
「前記移行入賞制御パターンは、……、かつ前記第２の特定入賞制御パターンが前記特定の表示結果を特定するステップ数のうちの少なくとも１つのステップ数に対して前記特定の表示結果を特定するとともに、……、かつ前記第１の特定入賞制御パターンが前記特定の表示結果を特定するステップ数のうちの少なくとも１つのステップ数に対して前記特定の表示結果を特定し、」とあるのを、
「前記移行入賞制御パターンは、……、かつ前記第２の特定
付与
付与
　
１０　訂正事項１０
　本件特許明細書の段落【０００７】に
「本発明の請求項４に記載のスロットマシンは、……スロットマシンであって、
　少なくともいずれか１つの可変表示領域の表示結果が導出される前に、前記遊技用価値の付与を伴う付与入賞及び遊技者にとって有利な特別遊技状態への移行を伴う移行入賞を含む入賞の発生を許容するか否かを決定する事前決定手段と、
……
　前記移行入賞制御パターンは、……、かつ前記第２の特定入賞制御パターンが前記特定の表示結果を特定するステップ数のうちの少なくとも１つのステップ数に対して前記特定の表示結果を特定するとともに、……、かつ前記第１の特定入賞制御パターンが前記特定の表示結果を特定するステップ数のうちの少なくとも１つのステップ数に対して前記特定の表示結果を特定し、」とあるのを、
「本発明の請求項４に記載のスロットマシンは、……スロットマシンであって、
　
前記複数の可変表示領域の表示結果を導出させる際に操作されるそれぞれの導出操作手段と
　少なくともいずれか１つの可変表示領域の表示結果が導出される前に、前記遊技用価値の付与を伴う付与入賞及び遊技者にとって有利な特別遊技状態への移行を伴う移行入賞を含む入賞の発生を許容するか否かを決定する事前決定手段と、
……
　前記移行入賞制御パターンは、……、かつ前記第２の特定
付与
付与
　
１１　訂正事項１１
　本件特許の特許請求の範囲の請求項５に
「前記移行入賞制御パターンは、……、かつ前記第２の特定入賞制御パターンが前記特定の表示結果を特定するステップ数のうちの少なくとも１つのステップ数に対して前記特定の表示結果を特定するとともに、……、かつ前記第１の特定入賞制御パターンが前記特定の表示結果を特定するステップ数のうちの少なくとも１つのステップ数に対して前記特定の表示結果を特定し、」とあるのを、
「前記移行入賞制御パターンは、……、かつ前記第２の特定
付与
付与
　
１２　訂正事項１２
　本件特許明細書の段落【０００７】に
「本発明の請求項５に記載のスロットマシンは、
……
　前記移行入賞制御パターンは、……、かつ前記第２の特定入賞制御パターンが前記特定の表示結果を特定するステップ数のうちの少なくとも１つのステップ数に対して前記特定の表示結果を特定するとともに、……、かつ前記第１の特定入賞制御パターンが前記特定の表示結果を特定するステップ数のうちの少なくとも１つのステップ数に対して前記特定の表示結果を特定し、」とあるのを、
「本発明の請求項５に記載のスロットマシンは、
……
　前記移行入賞制御パターンは、……、かつ前記第２の特定
付与
付与
　
１３　訂正事項１３
　本件特許の特許請求の範囲の請求項６に
「前記移行入賞制御パターンは、……、かつ前記第２の特定入賞制御パターンが前記特定の表示結果を特定するステップ数のうちの少なくとも１つのステップ数に対して前記特定の表示結果を特定するとともに、……、かつ前記第１の特定入賞制御パターンが前記特定の表示結果を特定するステップ数のうちの少なくとも１つのステップ数に対して前記特定の表示結果を特定し、」とあるのを、
「前記移行入賞制御パターンは、……、かつ前記第２の特定
付与
付与
　
１４　訂正事項１４
　本件特許明細書の段落【０００７】に
「本発明の請求項６に記載のスロットマシンは、
……
　前記移行入賞制御パターンは、……、かつ前記第２の特定入賞制御パターンが前記特定の表示結果を特定するステップ数のうちの少なくとも１つのステップ数に対して前記特定の表示結果を特定するとともに、……、かつ前記第１の特定入賞制御パターンが前記特定の表示結果を特定するステップ数のうちの少なくとも１つのステップ数に対して前記特定の表示結果を特定し、」とあるのを、
「本発明の請求項６に記載のスロットマシンは、
……
　前記移行入賞制御パターンは、……、かつ前記第２の特定
付与
付与
　
１５　訂正事項１５
　本件特許明細書の段落【００４０】に「リプレイ中ＬＥＤ１０」とあるのを、「リプレイ中ＬＥＤ 
２
　
１６　訂正事項１６
　本件特許明細書の段落【００７４】に「まてめて」とあるのを、「ま
と
　
１７　訂正事項１７
　本件特許明細書の段落【０１６７】に記載された２箇所の『「赤７」図柄をが停止する』を、『「赤７」図
柄が
　
１８　訂正事項１８
　本件特許明細書の段落【０１７１】に記載された２箇所の『「青７」図柄をが停止する』を、『「青７」図
柄が
　
１９　訂正事項１９
　本件特許明細書の段落【０１７８】に「できないようようになっている。」とあるのを、「できないよ
うに
　
２０　訂正事項２０
　本件特許明細書の段落【０２１１】に「払出効果音の出力の出力が行われる」とあるのを、「払出効果音の出
力が
　
２１　訂正事項２１
　本件特許明細書の段落【０２１９】に「演出制御部９１」とあるのを、「
サブ
　
２２　訂正事項２２
　本件特許明細書の段落【０２３６】に「には、、エンディング演出」とあるのを、「に
は、エ
　
２３　訂正事項２３
　本件特許明細書の段落【０３０３】に「読み出した役の種類が読み出した役の種類がレギュラーボーナス、ビッグボーナス（１）、ビッグボーナス（２）でもなければ」とあるのを、「読み出した役の種類
がレ
　
２４　訂正事項２４
　本件特許明細書の段落【０３１２】に「停止準備完了時のの設定を行う」とあるのを、「停止準備完了時
の設
　
２５　訂正事項２５
　本件特許明細書の段落【０３２４】及び【０３２５】に「判定しする」とあるのを、「判
定す
　
２６　訂正事項２６
　本件特許明細書の段落【０４９５】に「ＲＡＭ４１ｃにの未使用領域や未使用スタック領域を利用して」とあるのを、「ＲＡＭ４１
ｃの
　
２７　訂正事項２７
　本件特許明細書の段落【０５０８】に「否かを判定を行い」とあるのを、「否か
の
　
２８　訂正事項２８
　本件特許明細書の段落【０５３３】に「ゲームの結果として一般役が入賞が発生した場合でも」とあるのを、「ゲームの結果として一般役
の
　
２９　訂正事項２９
　本件特許明細書の段落【０５７４】に「本発明の請求項１に記載のスロットマシンは、」とあるのを、「本発明の
手段
　
３０　訂正事項３０
　本件特許明細書の段落【０５７５】に「本発明の請求項２に記載のスロットマシンは、請求項１に記載のスロットマシンであって、」とあるのを、「本発明の
手段
手段
　
３１　訂正事項３１
　本件特許明細書の段落【０５７６】に「本発明の請求項３に記載のスロットマシンは、」とあるのを、「本発明の
手段
　
３２　訂正事項３２
　本件特許明細書の段落【０５７７】に「本発明の請求項４に記載のスロットマシンは、請求項３に記載のスロットマシンであって、」とあるのを、「本発明の
手段
手段
　
３３　訂正事項３３
　本件特許明細書の段落【０５７８】に「本発明の請求項５に記載のスロットマシンは、請求項１〜４のいずれかに記載のスロットマシンであって、」とあるのを、「本発明の
手段
手段
　
３４　訂正事項３４
　本件特許明細書の段落【０５７９】に「本発明の請求項６に記載のスロットマシンは、請求項１〜５のいずれかに記載のスロットマシンであって、」とあるのを、「本発明の
手段
手段
　
３５　訂正事項３５
　本件特許明細書の段落【０５７９】に「所定の設定操作手段（リセット／設定スイッチ３６）」とあるのを、「所定の設定操作手段（リセット／設定スイッチ３
８
　
３６　訂正事項３６
　本件特許明細書の段落【０５８０】に「本発明の手段１に記載のスロットマシンは、請求項１〜６のいずれかに記載のスロットマシンであって、」とあるのを、「本発明の手段
７
手段
　
３７　訂正事項３７
　本件特許明細書の段落【０５８１】に「本発明の手段２に記載のスロットマシンは、請求項１〜６、手段１のいずれかに記載のスロットマシンであって、」とあるのを、「本発明の手段
８
手段
７
　
３８　訂正事項３８
　本件特許明細書の段落【０５８２】に「本発明の手段３に記載のスロットマシンは、請求項１〜６、手段１、２のいずれかに記載のスロットマシンであって、」とあるのを、「本発明の手段
９
手段
８
　
３９　訂正事項３９
　本件特許明細書の段落【０５８３】に「本発明の手段４に記載のスロットマシンは、請求項１〜６、手段１〜３のいずれかに記載のスロットマシンであって、」とあるのを、「本発明の手段
１０
手段１
９
　
４０　訂正事項４０
　本件特許明細書の段落【０５８４】に「本発明の手段５に記載のスロットマシンは、請求項１〜６、手段１〜４のいずれかに記載のスロットマシンであって、」とあるのを、「本発明の手段
１１
手段
１０
　
４１　訂正事項４１
　本件特許明細書の段落【０５８５】に「本発明の手段６に記載のスロットマシンは、請求項１〜６、手段１〜５のいずれかに記載のスロットマシンであって、」とあるのを、「本発明の手段
１２
手段
１１
　
４２　訂正事項４２
　本件特許明細書の段落【０５８６】に「本発明の手段７に記載のスロットマシンは、請求項１〜６、手段１〜６のいずれかに記載のスロットマシンであって、」とあるのを、「本発明の手段
１３
手段
１２
　
第３　当審の判断
１　訂正事項１について
（１）本件特許の特許請求の範囲の請求項１において、本訂正事項に係る箇所には、「前記第２の特定入賞制御パターン」及び「前記第１の特定入賞制御パターン」と記載されているが、当該記載の前に「第２の特定入賞制御パターン」及び「第１の特定入賞制御パターン」は記載されていないことから、本件特許特許請求の範囲の請求項１の記載は明瞭でないものとなっていた。
　
（２）そして、本件特許の特許請求の範囲の請求項１には、「前記事前決定手段により前記付与入賞のうち所定の大きさの前記遊技用価値の付与を伴う第１の特定付与入賞の発生を許容する旨の決定がなされているときに、……前記特定の表示結果を特定する第１の特定付与入賞制御パターンを選択する第１の特定付与入賞制御パターン選択手段」、「前記事前決定手段により前記付与入賞のうち前記第１の特定付与入賞と同一の大きさの前記遊技用価値の付与を伴う第２の特定付与入賞の発生を許容する旨の決定がなされているときに、……前記特定の表示結果を特定する第２の特定付与入賞制御パターンを選択する第２の特定付与入賞制御パターン選択手段」、「前記事前決定手段により前記付与入賞のうち前記第１の特定付与入賞と同一の大きさの前記遊技用価値の付与を伴う第２の特定付与入賞の発生を許容する旨の決定がなされているときに、……前記特定の表示結果を特定する第２の特定付与入賞制御パターンを選択する第２の特定付与入賞制御パターン選択手段」、「前記第１の特定付与入賞制御パターンは、……前記第１の特定付与入賞を構成する表示結果を特定する」、及び「前記第２の特定付与入賞制御パターンは、……前記第２の特定付与入賞を構成する表示結果を特定する」と記載されており、「前記第２の特定入賞制御パターン」及び「前記第１の特定入賞制御パターン」の前に、「第２の特定付与入賞制御パターン」及び「第１の特定付与入賞制御パターン」という記載がある。
　
（３）よって、本訂正事項は、「前記第２の特定入賞制御パターン」及び「前記第１の特定入賞制御パターン」という不明瞭な記載を、他の箇所の記載との間に整合性を持たせて明瞭な記載にするものであるから、明瞭でない記載の釈明を目的とするものと認められる。
　そして、本訂正事項は、本件特許明細書等のすべての記載を総合することにより導かれる技術的事項との関係において、新たな技術的事項を導入するものではなく、実質上特許請求の範囲を拡張し、又は変更するものでもない。
　
２　訂正事項２について
（１）本訂正事項は、発明の詳細な説明の記載について、訂正事項１との整合を図り、記載を明瞭にするために行うものと認められるから、明瞭でない記載の釈明を目的とするものと認められる。
　
（２）そして、上記１における訂正事項１についての検討と同様に、本訂正事項は、本件特許明細書等のすべての記載を総合することにより導かれる技術的事項との関係において、新たな技術的事項を導入するものではなく、実質上特許請求の範囲を拡張し、又は変更するものでもない。
　
３　訂正事項３について
　本訂正事項は、上記１における訂正事項１についての検討と同様の理由により、明瞭でない記載の釈明を目的とするものと認められ、本件特許明細書等のすべての記載を総合することにより導かれる技術的事項との関係において、新たな技術的事項を導入するものではなく、実質上特許請求の範囲を拡張し、又は変更するものでもない。
　
４　訂正事項４について
（１）本訂正事項は、発明の詳細な説明の記載について、訂正事項３との整合を図り、記載を明瞭にするために行うものと認められるから、明瞭でない記載の釈明を目的とするものと認められる。
　
（２）そして、上記３における訂正事項３についての検討と同様に、本訂正事項は、本件特許明細書等のすべての記載を総合することにより導かれる技術的事項との関係において、新たな技術的事項を導入するものではなく、実質上特許請求の範囲を拡張し、又は変更するものでもない。
　
５　訂正事項５について
（１）本件特許の特許請求の範囲の請求項３において、「前記導出操作手段が操作されたときに、該導出操作手段の操作に対応する可変表示領域に表示結果を導出させる制御を行う導出制御手段」と記載されているが、当該記載の前に「導出操作手段」は記載されていないことから、本件特許特許請求の範囲の請求項３の記載は明瞭でないものとなっていた。
　
（２）そこで、本件特許明細書等を参酌すると、本件特許の特許請求の範囲の請求項１、２、５及び６には、「前記複数の可変表示領域の表示結果を導出させる際に操作されるそれぞれの導出操作手段」と記載されている。そして、本件特許の特許請求の範囲の請求項３の上記記載に照らせば、導出操作手段が操作されたときに、導出操作手段の操作に対応する可変表示領域に表示結果が導出されることは明らかである。
　
（３）よって、本訂正事項は、「前記導出操作手段」及び「該導出操作手段」が何を指すか明瞭にするものであって、明瞭でない記載の釈明を目的とするものと認められる。
　そして、本訂正事項は、本件特許明細書等のすべての記載を総合することにより導かれる技術的事項との関係において、新たな技術的事項を導入するものではなく、実質上特許請求の範囲を拡張し、又は変更するものでもない。
　
６　訂正事項６について
　本訂正事項は、上記１における訂正事項１についての検討と同様の理由により、明瞭でない記載の釈明を目的とするものと認められ、本件特許明細書等のすべての記載を総合することにより導かれる技術的事項との関係において、新たな技術的事項を導入するものではなく、実質上特許請求の範囲を拡張し、又は変更するものでもない。
　
７　訂正事項７について
（１）本訂正事項は、発明の詳細な説明の記載について、訂正事項５及び６との整合を図り、記載を明瞭にするために行うものと認められるから、明瞭でない記載の釈明を目的とするものと認められる。
　
（２）そして、上記５及び６における訂正事項５及び６についての検討と同様に、本訂正事項は、本件特許明細書等のすべての記載を総合することにより導かれる技術的事項との関係において、新たな技術的事項を導入するものではなく、実質上特許請求の範囲を拡張し、又は変更するものでもない。
　
８　訂正事項８について
　本訂正事項は、上記５における訂正事項５についての検討と同様の理由により、明瞭でない記載の釈明を目的とするものと認められ、本件特許明細書等のすべての記載を総合することにより導かれる技術的事項との関係において、新たな技術的事項を導入するものではなく、実質上特許請求の範囲を拡張し、又は変更するものでもない。
　
９　訂正事項９について
　本訂正事項は、上記１における訂正事項１についての検討と同様の理由により、明瞭でない記載の釈明を目的とするものと認められ、本件特許明細書等のすべての記載を総合することにより導かれる技術的事項との関係において、新たな技術的事項を導入するものではなく、実質上特許請求の範囲を拡張し、又は変更するものでもない。
　
１０　訂正事項１０について
（１）本訂正事項は、発明の詳細な説明の記載について、訂正事項８及び９との整合を図り、記載を明瞭にするために行うものと認められるから、明瞭でない記載の釈明を目的とするものと認められる。
　
（２）そして、上記８及び９における訂正事項８及び９についての検討と同様に、本訂正事項は、本件特許明細書等のすべての記載を総合することにより導かれる技術的事項との関係において、新たな技術的事項を導入するものではなく、実質上特許請求の範囲を拡張し、又は変更するものでもない。
　
１１　訂正事項１１について
　本訂正事項は、上記１における訂正事項１についての検討と同様の理由により、明瞭でない記載の釈明を目的とするものと認められ、本件特許明細書等のすべての記載を総合することにより導かれる技術的事項との関係において、新たな技術的事項を導入するものではなく、実質上特許請求の範囲を拡張し、又は変更するものでもない。
  
１２　訂正事項１２について
（１）本訂正事項は、発明の詳細な説明の記載について、訂正事項１１との整合を図り、記載を明瞭にするために行うものと認められるから、明瞭でない記載の釈明を目的とするものと認められる。
　
（２）そして、上記１１における訂正事項１１についての検討と同様に、本訂正事項は、本件特許明細書等のすべての記載を総合することにより導かれる技術的事項との関係において、新たな技術的事項を導入するものではなく、実質上特許請求の範囲を拡張し、又は変更するものでもない。
　
１３　訂正事項１３について
　本訂正事項は、上記１における訂正事項１についての検討と同様の理由により、明瞭でない記載の釈明を目的とするものと認められ、本件特許明細書等のすべての記載を総合することにより導かれる技術的事項との関係において、新たな技術的事項を導入するものではなく、実質上特許請求の範囲を拡張し、又は変更するものでもない。
  
１４　訂正事項１４について
（１）本訂正事項は、発明の詳細な説明の記載について、訂正事項１３との整合を図り、記載を明瞭にするために行うものと認められるから、明瞭でない記載の釈明を目的とするものと認められる。
　
（２）そして、上記１３における訂正事項１３についての検討と同様に、本訂正事項は、本件特許明細書等のすべての記載を総合することにより導かれる技術的事項との関係において、新たな技術的事項を導入するものではなく、実質上特許請求の範囲を拡張し、又は変更するものでもない。
　
１５　訂正事項１５ないし４２について
　訂正事項１５、２１、２９ないし４２は、記載を本件特許明細書等の他の箇所の記載に整合させるために行うものであり、また、訂正事項１６ないし２０、２２ないし２８は、日本語として意味が通らない不明瞭な記載を適正な表現に直すために行うものであるから、明瞭でない記載の釈明を目的とするものと認められる。
　そして、訂正事項１５ないし４２は、本件特許明細書等のすべての記載を総合することにより導かれる技術的事項との関係において、新たな技術的事項を導入するものではなく、実質上特許請求の範囲を拡張し、又は変更するものでもない。
　
第４　むすび
　以上のとおりであるから、本件訂正審判の請求に係る訂正事項１ないし４２は、特許法第１２６条第１項ただし書第３号に掲げる事項を目的とするものであり、かつ同条第４項、第５項及び第６項の規定に適合するものである。
　よって、結論のとおり審決する。